(57)【要約】      （修正有）【解決手段】作品の表と裏となる布片で同時に挟み、縫い繋げていくことによって、縫い代を内側に挟み込む。その縫い代が挟み込まれると同時に、表裏が遊離せぬ押さえの役を果たす。また、表と裏を同時に縫ったためリバ−シブルを作り出す。【効果】表と裏が同時縫いによる縫い方のため、手間が半減し、押さえの平縫いが省け、作品が自然にリバ−シブルに仕上がる。【選択図】なし【実用新案登録請求の範囲】
【請求項１】
表裏挟み縫い繋ぎリバ−シブルパッチワ−クに於いて
（１）０、０１ｍ２の布２枚を表布裏布１組として、必要組数用意する。
（２）初めの１組を以て、隣り合う２辺を縫い角を作り表に返す。
（３）初めの１組の縫ってない１辺を、次の表布裏布１組で両側から挟み４枚一緒に縫う。
（４）この４枚一緒に縫った辺の、隣り合う辺を（２）の１辺に繋がるように表布裏布２枚で縫い、表に返す。これで２組が繋がる。
（５）同様に、３組以降の必要組数を縫い繋げる。
（６）最後の組の隣り合う２辺を縫い角を作り完成する。
以上からなる表裏挟み縫い繋ぎリバ−シブルパッチワ−ク。
【考案の詳細な説明】
【技術分野】
【０００１】  本考案は床敷物、寝具、カ−テン等に関するものである。
【背景技術】
【０００２】  パッチワ−クやキルトに於ける裁製方法は表地を縫い上げ、次いで裏地を表地と合わせることによって完成させる。この方法に於いては表裏の絵柄が違い表と裏の両方から観賞したい場合には不都合である。又、表と裏を合わせる段階で布を広げる広い場所を必要とした。【０００３】  この改善策として、縫い繋げて行く布片を、表布と裏布を１組として用い、その両方で挟みながら縫い繋げていけるものと考えた。
【考案の開示】
【考案が解決しようとする課題】
【０００４】  解決しようとする問題点は、布小片を縫い繋げるパッチワ−クの布には縫い代ができる。そのために必ず裏布を付けなければならない。また、作品が大きい場合は、表と裏が遊離し易い。そうならないために押さえのために表面を平縫いをしなければならない。縫う手間が３倍かかる。このことは繁雑である。
【課題を解決しようとするための手段】
【０００５】  本考案は、作品の表と裏となる布片で同時に挟み、縫い繋げていくことによって、縫い代を内側に挟み込む。その縫い代が挟み込まれると同時に、表裏が遊離せぬ押さえの役を果たす。また、表と裏を同時に縫ったためリバ−シブルを作り出す。
【考案の効果】
【０００６】  表と裏が同時縫いによる縫い方のため、手間が半減し、押さえの平縫いが省け、作品が自然にリバ−シブルに仕上がる。
【０００７】  布という柔らかな素材のため、９０度の挟み縫いが出来る。そのため、縦方向、横方向に縫い繋げられる。
【考案を実施するための最良の形態】
【０００８】  パッチワ−クする布を０、０１ｍ２の正方形の大きさを基本パ−ツとして、それをリバ−シブル用に２枚一組で表布と裏布とする。その２枚で、前に縫ったものを挟みながら縫い繋げて行く。
【実施例１】
【０００９】  パズル模様や市松模様を０、０１ｍ２の正方形で裁製していく。【００１０】  ０、０１ｍ２より小さなパ−ツが欲しい場合はその小さな布片を縫い繋げて０、０１ｍ２の大きさの基本パ−ツの大きさとして予め作っておく。【００１１】  ２等辺３角形や直角３角形等のパ−ツが欲しい場合もその布片を縫い繋げて０、０１ｍ２の大きさの基本パ−ツの大きさとして予め作っておく。【００１２】  長方形のパ−ツが欲しい場合もその布片を縫い繋げて０、０１ｍ２の大きさの基本パ−ツの大きさとして予め作っておく。【００１３】    曲面の作りは小さな三角形の組み合わせを以て視覚的に曲面に見えるものに予め作っておき、０、０１ｍ２の大きさの基本パ−ツの大きさとしておく。。【００１４】  基本パ−ツは０、０１ｍ２の大きさであるがそれを２倍、４倍のものと発展することも可能である。
【産業上の利用可能性】
【００１５】  染色織物は大量生産されている時代である。又、昔の和服の絹製品等が大量に蓄積されている。これらをただ廃棄焼却することは勿体ない。又、定年退職者が有閑となる場合が予想される。余っている布を再活用し、趣味としての手芸品ができる。
【図面の簡単な説明】
【００１６】
【図１】は、例としてテ−ブルセンタ−を基本パ−ツ６個で作成した場合である。
【００１７】
【図２】はテ−ブルセンタ−の縫い始めで最初の角の作り方である。
【００１８】
【図３】は図２で作ったパ−ツを表に返したものである。上の辺と右横の辺が出来て最初の角が出来ている。
【００１９】
【図４】は二つ目のパ−ツを、一つ目のパ−ツに挟んで４枚で繋げ、次いで上の辺２枚を縫ったものである。
【００２０】
【図５】は二つ目のパ−ツを表に返したものである。上の辺も出来ている。
【００２１】
【図６】は三つ目のパ−ツを、二つ目のパ−ツに挟んで４枚で繋げ、次いで上の辺２枚を縫ったものである。
【００２２】
【図７】は三つ目のパ−ツの角の作り方である。一つ目、二つ目を中に入れておき、上の辺に続いて横の辺２枚を縫い、角にしたものである。
【００２３】
【図８】は三つ目のパ−ツを表に返したものである。１段目の出来上がりである。
【００２４】
【図９】は２段目の最初のパ−ツを１段目の最初のパ−ツの下の辺に挟んで４枚で繋げ、右に表地裏地２枚で辺を縫ったものである。
【００２５】
【図１０】は２段目の最初のパ−ツの下になる角の作り方である。１段目を中に入れておき、右の辺に続いて下の辺を表地裏地２枚で縫い、角にしたものである。
【００２６】
【図１１】は２段目の最初のパ−ツを表に返したものである。右横の辺と下の辺が出来て角になっている。
【００２７】
【図１２】は２段目の二つ目のパ−ツを一つめに挟んで繋げたものである。
【００２８】
【図１３】は２段目の二つ目のパ−ツを９０度布を回して１つ目のパ−ツを中に入れて裏地の側から挟んで繋げ、次いで下の辺を表地裏地２枚で縫うものである。
【００２９】
【図１４】は２段目の二つ目のパ−ツを表に返したものである。下の辺が出来ている。
【００３０】
【図１５】は２段目の三つ目のパ−ツを図１２、図１３と同様に繋げて表に返したものである。下の辺が出来たものである。
【００３１】図１６は３段目の縫い終りのパ−ツの、左横の辺を作っているところである。辺の中央部分を表から綴じるために０、０５ｍあけておく。
【符号の説明】
【００３２】
【００３３】  １、一つ目パ−ツ
２、二つ目パ−ツ
３、三つ目パ−ツ
４、四つ目パ−ツ
５、五つ目パ−ツ
６、六つ目パ−ツ
７  五つ目パ−ツの裏地側
【図１】
0003113357.tif 000002
【図２】
0003113357.tif 000003
【図３】
0003113357.tif 000004
【図４】
0003113357.tif 000005
【図５】
0003113357.tif 000006
【図６】
0003113357.tif 000007
【図７】
0003113357.tif 000008
【図８】
0003113357.tif 000009
【図９】
0003113357.tif 000010
【図１０】
0003113357.tif 000011
【図１１】
0003113357.tif 000012
【図１２】
0003113357.tif 000013
【図１３】
0003113357.tif 000014
【図１４】
0003113357.tif 000015
【図１５】
0003113357.tif 000016
【図１６】
0003113357.tif 000017